(57)【要約】【課題】利用者の持つ燃料消費データと短期間の測定調査による熱利用パターンとに基づいて、年間における時間別の熱負荷を高い精度で簡易に計算する。【解決手段】所定の施設における時間別の熱負荷をコンピュータ演算処理により計算する熱負荷計算装置１であって、実測したある１日の単位時間毎における各熱負荷種類別についての燃料種類別の燃料消費量を記憶する単位時間毎燃料消費量記憶部２１と、過去１２ヶ月の燃料消費量実績を記憶する燃料消費量実績記憶部２２と、実測値に基づいて燃料消費量を１ヶ月分集計する燃料消費量推定部２３と、月偏差を算出する第二所定期間偏差算出部２４と、時間偏差を算出する単位時間偏差算出部２５と、実測した燃料消費量と時間偏差を足し合せて想定燃料消費量を算出する想定燃料消費量算出部２６と、想定燃料消費量を熱量に換算する熱量換算部２７と、を備える。【選択図】図２
2008065747.tif 000002
【特許請求の範囲】
【請求項１】
熱エネルギー消費者が消費する時間別の熱負荷をコンピュータ演算処理により計算する熱負荷計算装置であって、
第一の所定期間での単位時間毎における各熱負荷種類別についての燃料種類別の燃料消費量の計測結果を記憶する単位時間毎燃料消費量記憶部と、
前記第一の所定期間よりも長い第二の所定期間において消費された燃料について、現実に消費された各熱負荷種類別についての燃料種類別の燃料消費量の実績を記憶する燃料消費量実績記憶部と、
前記単位時間毎燃料消費量記憶部で記憶されている第一の所定期間における燃料消費量に基づいて第二の所定期間において前期第一の所定期間と同様の消費ペースで燃料を使用すると仮定して、第二の所定期間における各熱負荷種類別についての燃料種類別の燃料消費量を算出する燃料消費量推定部と、
前記燃料消費量実績記憶部で記憶されている各熱負荷種類別についての燃料種類別の燃料消費量と、前記燃料消費量推定部で算出された各熱負荷種類別についての燃料種類別の燃料消費量と、の差分である第二の所定期間における各熱負荷種類別についての燃料種類別の燃料消費の偏差を算出する第二所定期間偏差算出部と、
前記第二所定期間偏差算出部で算出した第二の所定期間における各熱負荷種類別についての燃料種類別の燃料消費の偏差に基づいて、単位時間当りの各熱負荷種類別についての燃料種類別の燃料消費の偏差を算出する単位時間偏差算出部と、
前記単位時間毎燃料消費量記憶部で記憶された単位時間毎における各熱負荷種類別についての燃料種類別の燃料消費量の計測結果と、前記単位時間偏差算出部で算出された単位時間当りの各熱負荷種類別についての燃料種類別の燃料消費の偏差と、に基づいて、単位時間毎における各熱負荷種類別についての燃料種類別の想定される燃料消費量を算出する想定燃料消費量算出部と、
前記想定燃料消費量算出部で算出された単位時間毎における各熱負荷種類別についての燃料種類別の想定される燃料消費量を熱量に換算する熱量換算部と、
を備えることを特徴とする熱負荷計算装置。
【請求項２】
請求項１に記載の熱負荷計算装置であって、
熱量換算部は、その燃料が使用される各機器の燃料効率を勘案して、熱量に換算することを特徴とする熱負荷計算装置。
【請求項３】
請求項１又は２に記載の熱負荷計算装置であって、
前記単位時間偏差算出部は、第二所定期間偏差を、第二の所定期間において熱負荷が発生している単位時間の数で除することで単位時間当りの各熱負荷種類別についての燃料種類別の燃料消費の偏差を算出することを特徴とする熱負荷計算装置。
【請求項４】
請求項１又は２に記載の熱負荷計算装置であって、
前記単位時間偏差算出部は、第二所定期間偏差を、前記単位時間毎燃料消費量記憶部で記憶された単位時間毎の各熱負荷種類別についての燃料種類別の燃料消費量の計測結果に比例配分することで、各単位時間別に各熱負荷種類別についての燃料種類別の燃料消費の偏差を算出することを特徴とする熱負荷計算装置。
【請求項５】
熱エネルギー消費者が消費する時間別の熱負荷をコンピュータ演算処理により計算する熱負荷計算方法であって、
コンピュータが、
第一の所定期間での単位時間毎における各熱負荷種類別についての燃料種類別の燃料消費量の計測結果を記憶するステップと、
前記第一の所定期間よりも長い第二の所定期間において消費された燃料について、現実に消費された各熱負荷種類別についての燃料種類別の燃料消費量の実績を記憶するステップと、
前記記憶されている第一の所定期間における燃料消費量に基づいて第二の所定期間において前期第一の所定期間と同様の消費ペースで燃料を使用すると仮定して、第二の所定期間における各熱負荷種類別についての燃料種類別の燃料消費量を算出するステップと、
前記記憶されている各熱負荷種類別についての燃料種類別の燃料消費量と、前記算出された各熱負荷種類別についての燃料種類別の燃料消費量と、の差分である第二の所定期間における各熱負荷種類別についての燃料種類別の燃料消費の偏差を算出するステップと、
前記算出した第二の所定期間における各熱負荷種類別についての燃料種類別の燃料消費の偏差に基づいて、単位時間当りの各熱負荷種類別についての燃料種類別の燃料消費の偏差を算出するステップと、
前記記憶された単位時間毎における各熱負荷種類別についての燃料種類別の燃料消費量の計測結果と、前記算出された単位時間当りの各熱負荷種類別についての燃料種類別の燃料消費の偏差と、に基づいて、単位時間毎における各熱負荷種類別についての燃料種類別の想定される燃料消費量を算出するステップと、
前記算出された単位時間毎における各熱負荷種類別についての燃料種類別の想定される燃料消費量を熱量に換算するステップと、
を含むことを特徴とする熱負荷計算方法。
【請求項６】
熱エネルギー消費者が消費する時間別の熱負荷をコンピュータ演算処理により計算する熱負荷計算プログラムであって、
コンピュータに、
第一の所定期間での単位時間毎における各熱負荷種類別についての燃料種類別の燃料消費量の計測結果を記憶するステップと、
前記第一の所定期間よりも長い第二の所定期間において消費された燃料について、現実に消費された各熱負荷種類別についての燃料種類別の燃料消費量の実績を記憶するステップと、
前記記憶されている第一の所定期間における燃料消費量に基づいて第二の所定期間において前期第一の所定期間と同様の消費ペースで燃料を使用すると仮定して、第二の所定期間における各熱負荷種類別についての燃料種類別の燃料消費量を算出するステップと、
前記記憶されている各熱負荷種類別についての燃料種類別の燃料消費量と、前記算出された各熱負荷種類別についての燃料種類別の燃料消費量と、の差分である第二の所定期間における各熱負荷種類別についての燃料種類別の燃料消費の偏差を算出するステップと、
前記算出した第二の所定期間における各熱負荷種類別についての燃料種類別の燃料消費の偏差に基づいて、単位時間当りの各熱負荷種類別についての燃料種類別の燃料消費の偏差を算出するステップと、
前記記憶された単位時間毎における各熱負荷種類別についての燃料種類別の燃料消費量の計測結果と、前記算出された単位時間当りの各熱負荷種類別についての燃料種類別の燃料消費の偏差と、に基づいて、単位時間毎における各熱負荷種類別についての燃料種類別の想定される燃料消費量を算出するステップと、
前記算出された単位時間毎における各熱負荷種類別についての燃料種類別の想定される燃料消費量を熱量に換算するステップと、
を実行させることを特徴とする熱負荷計算プログラム。
【発明の詳細な説明】
【技術分野】
【０００１】
年間における時間別の熱負荷を計算する熱負荷計算装置、方法及びプログラムに関する。
【背景技術】
【０００２】
発電による電力のみならず発電の際に生じる廃熱をも利用することで総合エネルギー効率を向上させる熱併給発電システム（いわゆる、ｃｏ−ｇｅｎｅｒａｔｉｏｎ  ｓｙｓｔｅｍ）の導入の是非を検討する場合、その利用者の熱利用パターン及び電力消費パターンを把握する必要がある。すなわち、利用者が熱と電力とを同時に利用する場合は熱と電力を同時に発生させられる熱併給発電システムを導入するメリットがあるが、逆にそうでない場合は熱併給発電システムを導入するメリットは小さい。
【０００３】
電力消費パターンに係るデータについては、自動検針データから容易に入手できるので問題はない。しかし、熱利用パターンについては、一般的に利用者自身も把握していないことが多いので、熱利用パターンの把握が課題となる。
【０００４】
ところで、利用者の熱利用パターンを把握するとする方法として、例えば利用者の一年間の熱利用パターンを測定する方法がある。これによれば、日変動及び季節変動を含んだ熱利用パターンを把握できる。しかし、これでは熱利用パターンの把握に一年かかってしまうので、検討資料として用いるのには現実的ではないとの問題がある。また、別の方法として、文献等で公表されている建物の規模・利用形態等の一般的な統計データを利用しての推計も考えられる。これによっても、日変動及び季節変動を含んだ一般的な熱利用パターンを把握できる。しかし、これはあくまで一般的なものであって、利用者の有する特性を十分に把握できるものではないとの問題がある。
【０００５】
なお、建物を設計する際には設置する空調機器の容量を決定するため建物の空調負荷を推定する必要がある。これに関して、特許文献１には、建物の空調負荷を計算する空調負荷簡易推定システムが開示されている。しかし、この技術は、冷暖房等空調に係る熱負荷を計算するものであって、蒸気や給湯等を含む全ての熱負荷を計算するものではない。
【特許文献１】特開２００５−２３３４３８号公報
【発明の開示】
【発明が解決しようとする課題】
【０００６】
本発明は、このような課題に対して、利用者の持つ長期間の燃料消費データと短期間の測定調査による熱利用パターンとに基づいて長期間の熱利用パターンを算出することにより、その長期間において単位時間毎の熱負荷を高い精度で簡易に計算することを目的とする。
【課題を解決するための手段】
【０００７】
第一の発明は、熱エネルギー消費者が消費する時間別の熱負荷をコンピュータ演算処理により計算する熱負荷計算装置であって、
第一の所定期間での単位時間毎における各熱負荷種類別についての燃料種類別の燃料消費量の計測結果を記憶する単位時間毎燃料消費量記憶部と、
前記第一の所定期間よりも長い第二の所定期間において消費された燃料について、現実に消費された各熱負荷種類別についての燃料種類別の燃料消費量の実績を記憶する燃料消費量実績記憶部と、
前記単位時間毎燃料消費量記憶部で記憶されている第一の所定期間における燃料消費量に基づいて第二の所定期間において前期第一の所定期間と同様の消費ペースで燃料を使用すると仮定して、第二の所定期間における各熱負荷種類別についての燃料種類別の燃料消費量を算出する燃料消費量推定部と、
前記燃料消費量実績記憶部で記憶されている各熱負荷種類別についての燃料種類別の燃料消費量と、前記燃料消費量推定部で算出された各熱負荷種類別についての燃料種類別の燃料消費量と、の差分である第二の所定期間における各熱負荷種類別についての燃料種類別の燃料消費の偏差を算出する第二所定期間偏差算出部と、
前記第二所定期間偏差算出部で算出した第二の所定期間における各熱負荷種類別についての燃料種類別の燃料消費の偏差に基づいて、単位時間当りの各熱負荷種類別についての燃料種類別の燃料消費の偏差を算出する単位時間偏差算出部と、
前記単位時間毎燃料消費量記憶部で記憶された単位時間毎における各熱負荷種類別についての燃料種類別の燃料消費量の計測結果と、前記単位時間偏差算出部で算出された単位時間当りの各熱負荷種類別についての燃料種類別の燃料消費の偏差と、に基づいて、単位時間毎における各熱負荷種類別についての燃料種類別の想定される燃料消費量を算出する想定燃料消費量算出部と、
前記想定燃料消費量算出部で算出された単位時間毎における各熱負荷種類別についての燃料種類別の想定される燃料消費量を熱量に換算する熱量換算部と、
を備えることを特徴とする熱負荷計算装置である。
【０００８】
第二の発明は、第一の発明に記載の熱負荷計算装置であって、
熱量換算部は、その燃料が使用される各機器の燃料効率を勘案して、熱量に換算することを特徴とする熱負荷計算装置である。
【０００９】
第三の発明は、第一又は第二の発明に記載の熱負荷計算装置であって、
前記単位時間偏差算出部は、第二所定期間偏差を、第二の所定期間において熱負荷が発生している単位時間の数で除することで単位時間当りの各熱負荷種類別についての燃料種類別の燃料消費の偏差を算出することを特徴とする熱負荷計算装置である。
【００１０】
第四の発明は、第一又は第二の発明に記載の熱負荷計算装置であって、
前記単位時間偏差算出部は、第二所定期間偏差を、前記単位時間毎燃料消費量記憶部で記憶された単位時間毎の各熱負荷種類別についての燃料種類別の燃料消費量の計測結果に比例配分することで、各単位時間別に各熱負荷種類別についての燃料種類別の燃料消費の偏差を算出することを特徴とする熱負荷計算装置である。
【発明の効果】
【００１１】
本発明によれば、利用者の持つ長期間の燃料消費データと短期間の測定調査による熱利用パターンとに基づいて長期間の熱利用パターンを算出することにより、その長期間において単位時間毎の熱負荷を高い精度で簡易に計算することができる。
【発明を実施するための最良の形態】
【００１２】
図１は、本発明の一実施形態である熱負荷計算装置１のハードウェア構成を示す図である。熱負荷計算装置１は、ＣＰＵ１１、メモリ１２、記憶装置１３、記録媒体読取装置１４、入力装置１５、及び出力装置１６等を備えている。
【００１３】
記憶装置１３に記憶されているプログラムがメモリ１２に読み出され、ＣＰＵ１１はメモリ１２に格納されたプログラムを実行する。ここで、記憶装置１３とは例えばハードディスクドライブ等である。また、記録媒体読取装置１４は、ＣＤ−ＲＯＭ等の記録媒体１７に記録されたプログラムを読み取り、記憶装置１３に格納することもできる。入力装置１５は、キーボードやマウス等である。また、出力装置１６は、ディスプレイやプリンタ等である。
【００１４】
図２は、本発明の一実施形態である熱負荷計算装置１の機能の構成を示す図である。同図に示すように、本実施形態の熱負荷計算装置１は、単位時間毎燃料消費量記憶部２１、燃料消費量実績記憶部２２、燃料消費量推定部２３、第二所定期間偏差算出部２４、単位時間偏差算出部２５、想定燃料消費量算出部２６、熱量換算部２７などを備えている。なお、各記憶部２１及び２２は、メモリ１２または記憶装置１３上に実現される。また、各機能部２３〜２７は、ＣＰＵ１１がメモリ１２に記憶されているプログラムを実行することにより実現される。
【００１５】
単位時間毎燃料消費量記憶部２１は、熱エネルギー消費者が使用する各機器（蒸気ボイラ、温水ボイラ、吸収式冷温水発生器、空気熱源ヒートポンプチラー等）について第一の所定期間（例えば、一日や一週間などであり、以下においては、第一の所定期間は１日であるものとする。）における単位時間（例えば、１時間）毎に各熱負荷種類別についての燃料種類別の燃料消費量の計測データを記憶する。ここで、熱エネルギー消費者とは、事業所、事務所ビル、店舗、集合住宅、戸建住宅等において熱エネルギーを消費する者である。図３は、この計測データのデータ構成を示すデータシートの一例である。一般的に業務用建物や製作所等の施設では、蒸気ボイラ、温水ボイラ、吸収式冷温水発生器、空気熱源ヒートポンプチラー等が利用されている。それら機器のエネルギー源として、電気のみならず、ガス（都市ガス（１３Ａガス等）、プロパンガス、天然ガス等）や石油（軽油、灯油、重油等）等の燃料が用いられている。これら燃料の種類によって単位量当りの熱量は異なるため、燃料の種類別に分けて燃料消費量を記憶する。熱負荷種類別とは、蒸気、温水、冷水等の熱利用種類別である。当該施設での１日の単位時間毎に熱負荷種類別の燃料消費量を計測することで、１日の当該施設での燃料消費パターンを調査する。なお、第一の所定期間は、例えば平日１日と休日１日との２日としてもよい。図３では、ある一日についてのデータシートの一例であるが、第一の所定期間を一週間とする場合は、このようなデータシートで示される計測データの７日分について単位時間毎燃料消費量記憶部２１で記憶される。
【００１６】
燃料消費量実績記憶部２２は、第二の所定期間（第一の所定期間より長い期間であって、例えば、１ヶ月であり、以下においては、第二の所定期間は１ヶ月であるものとする。）に当該施設で実際に消費された燃料について種類別であって熱負荷種類別の燃料消費量を記憶する。この燃料種類別の燃料消費量は、例えば利用者が実際に消費した消費量を月々の燃料支払い領収書等何らかの方法で利用者が保有するデータによる。さらに、ある燃料（灯油、軽油、ガス等）がどの熱負荷（蒸気、給湯、温水、冷水等）にどの割合で消費されたかについても、各機器の運転記録等何らかの方法で利用者が保有するデータによる。図４は、ある月の燃料消費データのデータ構成を示すデータシートの一例である。
【００１７】
燃料消費量推定部２３は、単位時間毎燃料消費量記憶部２１で記憶されている第一の所定期間である１日の各熱負荷種類別についての燃料種類別の燃料消費量に基づいて、第二の所定期間である１ヶ月間に当該１日と同様の消費ペースで燃料を使用すると仮定して、当該１ヶ月間の各熱負荷種類別についての燃料種類別の燃料消費量を算出する。
【００１８】
第二所定期間偏差算出部２４は、燃料消費量実績記憶部２２で記憶されている各熱負荷種類別についての燃料種類別の燃料消費量と、燃料消費量推定部２３で算出された各熱負荷種類別についての燃料種類別の燃料消費量と、の差分である１ヶ月間の各熱負荷種類別についての燃料種類別の燃料消費の偏差（以下、「月偏差」という）を算出する。すなわち、燃料消費量実績記憶部２２で記憶されている各熱負荷種類別についての燃料種類別の燃料消費量は現実に消費された量であるが、燃料消費量推定部２３で算出された燃料消費量はある１日を代表値として１か月分について計算した値であるので、両者には偏差が生じうる。そこで、第二所定期間偏差算出部２４では、燃料消費量実績記憶部２２で記憶されている各熱負荷種類別についての燃料種類別の燃料消費量から燃料消費量推定部２３で算出された各熱負荷種類別についての燃料種類別の燃料消費量を差引くことで、月偏差を算出する。なお、この月偏差の算出は、各熱負荷種類別についての燃料種類別についてそれぞれ行う。
【００１９】
単位時間偏差算出部２５は、第二所定期間偏差算出部２４で算出した月偏差に基づいて、単位時間当りの各熱負荷種類別についての燃料種類別の燃料消費の偏差（以下、「時間偏差」という）を算出する。具体的には、当該１ヶ月において熱負荷が発生している単位時間の数で月偏差を除することで時間偏差を算出する。すなわち、当該１日において熱負荷が発生していない時間は、当該１ヶ月の間の毎日でも同じ時間には熱負荷が発生していないと推測し、当該１日において熱負荷が発生している単位時間の数を１ヶ月分として３０倍した数で月偏差を除して時間偏差を算出する。
【００２０】
なお、単位時間偏差算出部２５は、月偏差を、単位時間毎燃料消費量記憶部２１で記憶された単位時間毎の燃料消費量の計測結果に比例配分することで、各単位時間別に時間偏差を算出することとしてもよい。
【００２１】
想定燃料消費量算出部２６は、単位時間毎燃料消費量記憶部２１で記憶された単位時間毎における各熱負荷種類別についての燃料種類別の燃料消費量の計測結果と、単位時間偏差算出部２５で算出された時間偏差と、を足し合せることで、単位時間毎における各熱負荷種類別についての燃料種類別の想定される燃料消費量（以下、「想定燃料消費量」という）を算出する。
【００２２】
熱量換算部２７は、想定燃料消費量算出部２６で算出された各熱負荷種類別についての燃料種類別の想定燃料消費量を各燃料の単位量当りの燃料発熱量と機器の燃料効率とを乗じて熱量に換算する。
【００２３】
図５は、熱負荷計算装置１が熱負荷種類毎に時間毎の燃料消費量を計算する処理フローを示すフロー図である。以下では、このフロー図に基づいて、熱負荷計算装置１の処理フローについて説明する。
【００２４】
まず、燃料消費パターン記憶部２１において、当該施設でのある１日（請求項でいう「第一の所定期間」）における１時間毎（請求項でいう「単位時間」）の熱負荷種類別（例えば、蒸気、温水、冷水等）に、燃料種類別（例えば、軽油、灯油、都市ガス）の燃料消費量で示される熱料消費パターンの計測結果を記憶する（Ｓ５０２）。
【００２５】
次に、燃料消費量推定部２３において、単位時間毎燃料消費量記憶部２１で記憶されている１日の各熱負荷種類別についての燃料種類別の燃料消費量に基づいて、１ヶ月間において単位時間毎燃料消費量記憶部２１で記憶されている燃料消費量と同様の消費ペースで燃料を使用すると仮定して、この１ヶ月間の各熱負荷種類別についての燃料種類別の燃料消費量を算出する。例えば、１ヶ月が３０日であるとすると、単位時間毎燃料消費量記憶部２１で記憶されている燃料消費量を３０倍することで算出できる。なお、この集計の算出をする場合、平日と休日（例えば、土曜日、日曜日、祝日。土曜日は平日に含めてもよい。）に分けて算出してもよい。単位時間毎燃料消費量記憶部２１において平日１日と休日１日の計２日の燃料消費量の計測結果を記憶していれば、当該１ヶ月のうち平日が２１日、休日が９日であった場合、平日の計測結果を２１倍し、休日の計測結果を９倍したものを足し合わせることで算出できる。
【００２６】
一方、燃料消費量実績記憶部２２において、１ヶ月間（請求項でいう「第二の所定期間」）に当該施設で実際に消費された燃料について、各熱負荷種類別についての燃料種類別の燃料消費量を記憶する（Ｓ５０６）。なお、利用者が、月々の燃料支払い領収書等で過去１２ヶ月分の燃料消費データを保有する場合、同様に１２ヶ月分の月々の燃料消費データを燃料消費量実績記憶部２２が記憶すれば、年間の熱負荷について計算することができる。
【００２７】
さて、第二所定期間偏差算出部２４では、燃料消費量実績記憶部２２で記憶した実際の各熱負荷種類別についての燃料種類別の燃料消費量から、燃料消費量推定部２３で集計した１ヶ月間の各熱負荷種類別についての燃料種類別の燃料消費量を差引いて、各熱負荷種類別についての燃料種類別の月偏差を算出する（Ｓ５０８）。
【００２８】
そして、単位時間偏差算出部２５では、当該１ヶ月において熱負荷が発生している単位時間の数で各熱負荷種類別についての燃料種類別の月偏差を除することで各熱負荷種類別についての燃料種類別の時間偏差を算出する（Ｓ５１０）。月偏差を熱負荷が発生している時間毎に均等に割り振る方法で計算するのならば、例えば、灯油を用いる蒸気ボイラでの蒸気についての月偏差が１２０リットルであって、熱負荷が発生している時間が午前７時から午後１１時である場合、１６の時間において熱負荷が発生しているので、時間偏差は１２０リットル÷３０日÷１６時間＝０．２５リットルと算出する。また、月偏差を熱負荷が発生している時間について発生した熱量に比例して割り振る方法で計算するのならば、例えば、灯油を用いる蒸気ボイラでの蒸気についての月偏差が１２０リットルであって、午前８時から９時の灯油消費量が１日の消費量の５％、午前９時から１０時の灯油消費量が１日の消費量の７％である場合、午前８時から９時の時間偏差は１２０リットル÷３０日×５％＝０．２０リットル、午前９時から１０時の時間偏差は１２０リットル÷３０日×７％＝０．２８リットルと算出する。
【００２９】
さらに、想定燃料消費量算出部２６では、単位時間毎燃料消費量記憶部２１で記憶された単位時間毎における各熱負荷種類別についての燃料種類別の燃料消費量の計測結果と、単位時間偏差算出部２５で算出された時間偏差と、を足し合せることで、単位時間毎における各熱負荷種類別についての燃料種類別の想定燃料消費量を算出する（Ｓ５１２）。
【００３０】
熱量換算部２７は、想定燃料消費量算出部２６で算出された想定燃料消費量を各燃料の単位量当りの燃料発熱量と機器の燃料効率とを乗じて熱量に換算する（Ｓ５１４）。例えば、数式（１）は、灯油を燃料とする蒸気ボイラについての熱量消費パターンの換算の計算式である。  
単位時間毎の蒸気用の消費熱量(cal/h)＝単位時間当り灯油使用量(l/h)×蒸気ボイラ燃料効率×灯油発熱量(cal/l）                  ・・・（１）
【００３１】
以上の通り、本実施形態の熱負荷計算装置１によれば、燃料代の支払い領収書等の利用者の持つ燃料消費データと、短期間（１日〜１週間）の測定調査による熱利用パターンと、に基づいて熱利用パターンを算出することにより、月間さらには年間における時間別の熱負荷を高い精度で簡易に計算することができる。
【００３２】
なお、以上の実施形態の説明は、本発明の理解を容易にするためのものであり、本発明を限定するものではない。本発明はその趣旨を逸脱することなく、変更、改良され得ると共に本発明にはその等価物が含まれることは勿論である。
【図面の簡単な説明】
【００３３】
【図１】本発明の一実施形態である熱負荷計算装置１のハードウェア構成を示す図である。
【図２】本発明の一実施形態である熱負荷計算装置１が備える機能の構成を示す図である。
【図３】単位時間毎に各熱負荷種類別についての燃料種類別の燃料消費量の計測データのデータ構成を示すデータシートの一例である。
【図４】ある月の燃料消費データのデータ構成を示すデータシートの一例である。
【図５】熱負荷計算装置１が熱負荷種類毎に時間毎の燃料消費量を計算する処理フローを示すフロー図である。
【符号の説明】
【００３４】
１  熱負荷計算装置
１１  ＣＰＵ
１２  メモリ
１３  記憶装置
１４  記録媒体読取装置
１５  入力装置
１６  出力装置
１７  記録媒体
２１  燃料別消費カーブ記憶部
２２  燃料消費量実績記憶部
２３  燃料消費量推定部
２４  第二所定期間偏差算出部
２５  単位時間偏差算出部
２６  想定燃料消費量算出部
２７  熱量換算部
【図１】
2008065747.tif 000003
【図２】
2008065747.tif 000004
【図３】
2008065747.tif 000005
【図４】
2008065747.tif 000006
【図５】
2008065747.tif 000007